(57)【要約】【課題】電動車椅子のサンバイザーの水平状態と垂下状態乃至収納状態との切換を、簡単、容易で、狭い場所において行うようにする。【解決手段】シート１の後側部に立設のピラー２の上端部にルーフ３を支持する電動車椅子において、このルーフ３を、前側下方へ回動してピラー２の前側に沿った垂下状態Ａにすると共に、この垂下状態Ａで下動してシート１の後側に収納可能に設けたことを特徴とするサンバイザーの構成とする。又、前記ピラー２に対するルーフ３の垂下状態Ａへの回動には、ルーフ３を上方へ移動させながら前側下方へ回動させる回動リンク４を設けた構成とする。【選択図】　　　　図１
2004135822.tif 000002
【特許請求の範囲】
【請求項１】
シート（１）の後側部に立設のピラー（２）の上端部にルーフ（３）を支持する電動車椅子において、このルーフ（３）を、前側下方へ回動してピラー（２）の前側に沿った垂下状態（Ａ）にすると共に、この垂下状態（Ａ）で下動してシート（１）の後側に収納可能に設けたことを特徴とするサンバイザー。
【請求項２】
前記ピラー（２）に対するルーフ（３）の垂下状態（Ａ）への回動には、ルーフ（３）を上方へ移動させながら前側下方へ回動させる回動リンク（４）を設けたことを特徴とする請求項１に記載の電動車椅子のサンバイザー。
【請求項３】
前記ピラー（２）に対するルーフ（３）の垂下状態（Ａ）への回動には、ルーフ（３）を前後摺動可能に支持するルーフフレーム（５）をこのピラー（２）の上端部と、このピラー（２）の上部に取付けられて開閉可能の開閉リンク（６）との上端部間にわたって支架することを特徴とする請求項１に記載の電動車椅子のサンバイザー。
【請求項４】
前記ピラー（２）の後側部にキャリー（７）を設けたことを特徴とする請求項１，２，又は３に記載の電動車椅子のサンバイザー。
【発明の詳細な説明】
【０００１】
【発明の属する技術分野】
この発明は、電動車椅子のサンバイザーに関する。サンバイザーの使用状態と収納状態とへの切換えを、狭い場所で、簡単、容易に行わせようとするものである。
【０００２】
【従来の技術】
【特許文献１】実開平３−２４４２４号公報（図１）
【特許文献２】特開平９−３２３５４８号公報（図１）
特許文献１及び２には、シートの後部にルーフを支持装着するサンバイザーの技術が開示されている。
【０００３】
【発明が解決しようとする課題】
電動車椅子のサンバイザーの使用位置水平状態と収納状態等の切換、取扱等は、特に操作が簡単で、容易であることが必要である。サンバイザーのルーフはシートの上方を覆うため、シート後部のピラーで支持する形態では、このルーフをシート後側へ収納するとき、このルーフをピラーに対して後側へ回動させたり、着脱する形態とすると、ピラーの後方回動のための広いスペースを要し、着脱操作等が面倒である。
【０００４】
【課題を解決するための手段】
請求項１に記載の発明は、シート１の後側部に立設のピラー２の上端部にルーフ３を支持する電動車椅子において、このルーフ３を、前側下方へ回動してピラー２の前側に沿った垂下状態Ａにすると共に、この垂下状態Ａで下動してシート１の後側に収納可能に設けたことを特徴とするサンバイザーの構成とする。ルーフ３をピラー２の上端部に支持させて、前側のシート１上に突出させることにより、サンバイザーとしての使用時の水平状態とすることができる。この水平状態からルーフ３を収納するには、ピラー２の上端部に対して前側下方へ回動して、シート１の後側部のピラー２の前側に沿う垂下状態Ａにすることにより、このルーフ３はこれらシート１とピラー２との間の上部に位置する。ここでこの垂下状態Ａのルーフ３を下方へ押込むことにより、シート１とピラー２下部との間に収納する。
【０００５】
請求項２に記載の発明は、前記ピラー２に対するルーフ３の垂下状態Ａへの回動には、ルーフ３を上方へ移動させながら前側下方へ回動させる回動リンク４を設けたことを特徴とするものである。使用時の水平状態のルーフ３を垂下状態Ａへ回動するときは、ピラー２上端部の回動リンク４の回動によって、ルーフ３が上方へ移動しながら前側下方へ回動されて、ピラー２の前側に沿う垂下状態Ａとなる。
【０００６】
請求項３に記載の発明は、前記ピラー２に対するルーフ３の垂下状態Ａへの回動には、ルーフ３を前後摺動可能に支持するルーフフレーム５をこのピラー２の上端部と、このピラー２の上部に取付けられて開閉可能の開閉リンク６との上端部間にわたって支架することを特徴とするものである。ルーフ３が水平状態にあるときは、ルーフフレーム５に対してルーフ３を前側へ移動させた状態にすることができる。ルーフ３を垂下状態Ａにするときは、ルーフ３をルーフフレーム５に対して後方へ移動させてから、開閉リンク６を下方へ回動させてピラー２の前側に沿う垂下状態Ａとする。このときルーフ３の前端部の回動端が上昇されていてシート１の上端に干渉することなく回動する。又、ルーフフレーム５に対して後方へ移動されていたルーフ３は、収納位置では下方へ押し込むことにより、ルーフフレーム５に案内されて、上方への突出を低くできる。
【０００７】
請求項４に記載の発明は、前記ピラー２の後側部にキャリー７を設けたことを特徴とするものである。キャリー７はピラー２の後側部に設けられ、ルーフ３の垂直状態Ａへの回動は、このピラー２の前側で行われる。
【０００８】
【発明の効果】
請求項１に記載の発明は、ルーフ３をピラー２に対して前側下方のシート１側へ回動して、ピラー２の前側に沿わせる垂下状態Ａにするため、ルーフ３の使用水平状態と収納状態との出し入れ回動を電動車椅子車体の略全長域内において行うことができ、狭い場所でも出し入れ操作できると共に、ルーフ３はピラー２に取付けられた状態のままで回動されるため、操作が簡単、容易である。又、ルーフ３の収納状態は、前側のシート１と後側のピラー２との間に位置するため、簡潔な形態として、電動車椅子運転時の邪魔になり難い。
【０００９】
請求項２に記載の発明は、ルーフ３をピラー２上端部の回動リンク４を介して出し入れ回動するため、ルーフ３を一旦上方へ移動させた状態で垂下状態Ａへ回動させることができ、ルーフ３の前端をシート上高位置において前後回動させて、シート１はこのルーフ３の回動の邪魔になり難く、ルーフ３をできるだけ長くすることができ、シート１とピラー２との間への収納を容易化できる。
【００１０】
請求項３に記載の発明は、ルーフ３をルーフフレーム５に対して前後に移動可能であるため、開閉リンク６の開閉によって垂直状態Ａへ回動するとき、このルーフ３の前端部の回動位置を高くすることができ、シート１への干渉をなくすることができる。又、垂下状態Ａではルーフ３を押し下げることにより、ルーフフレーム５に案内させてシート１とピラー２との間の低位置に収納させることができる。
【００１１】
請求項４に記載の発明は、キャリー７をピラー２の後側に設けるため、ルーフ３の垂下状態Ａへの回動や、収納位置への移動等とは干渉されることがなく、キャリー７に対する品物の収容制限を少なくすることができ、ルーフ３の出し入れ操作を容易にすることができる。
【００１２】
【発明の実施の形態】
この発明の実施例を図面に基づいて説明する。先ず、図１〜図６において、サンバイザーを取付ける電動車椅子は、ハンドルポスト９上のハンドル１０で操向できる前車輪１１と、リヤカバー１２内に搭載の電動モータ１３によって駆動される後車輪１４とを有し、リヤカバー１２上に搭載のシート１上に搭乗して運転走行しうるものである。シート１はバックレスト１５や、アームレスト１６等を有する。このシート１の底部後側に突設のシートブラケット１７上に、バックレスト１５との間に適宜の間隔部１８を形成してピラー２を立設し、このピラー２上にルーフ３を水平状態Ｂに（図１，図２）支持させて取付ける。このルーフ３はピラー２の前側に回動させて垂下状態Ａ（図３，図４）にすると共に、この垂下状態Ａのルーフ３を前記シート１及びバックレスト１５と、これらの後側のピラー２との間の間隔部１８に収納させることができる。
【００１３】
このようなルーフ３をピラー２の上端前方に張り出させた使用位置の水平状態Ｂにしたり、シート１の後側に収納の収納状態Ｃ（図５，図６）にする切換構成は、ルーフ３をピラー２の上端部に上下回動可能に支持させて、下方回動してピラー２の前側に沿う垂下状態Ａにすることができる。このときルーフ３の前端部がバックレスト１５に干渉する形態である場合は、ピラー２を伸縮可能の構成として、このピラー２を伸ばしてルーフ３を一旦上昇させてから、このルーフ３を前側下方へ回動させることも可能であり、バックレスト１５への干渉をなくする。又、このピラー２を伸ばす構成に代えて、シート１のバックレスト１５を前側へ転倒可能に構成して、ルーフ３を前側下方へ回動するとき、このバックレスト１５を倒してルーフ３の回動の干渉をなくするようにすることもできる。
前記ピラー２は、上部ピラー２Ａを下部ピラー２Ｂ上に嵌合させて上下に伸縮自在に設けられ、この伸縮位置を上部ピラー２Ａの後側乃至横側に螺合するロックハンドル１９の操作で固定できる。
【００１４】
このようなルーフ３をピラー２の上端部の支軸３０の周りに上下回動して、水平状態Ｂと垂下状態Ａとに切換えて固定するために、この支軸３０上にロックハンドル等を設けて、ルーフ３位置を固定したり回動させることができるが、図例のように開閉リンク６及びこれを操作するレバーハンドル３１を設けることもできる。開閉リンク６は、上部リンク６Ａと下部リンク６Ｂとを屈折回動可能にリンクピン３２で連結し、上部リンク６Ａの上端はルーフフレーム５にリンクピン３３で連結され、下部リンク６Ｂの下端は上部ピラー２Ａにリンクピン３４で連結されて、レバーハンドル３１は下部リンク６Ｂに一体に設けている。３５はトグルスプリングで、上部リンク６Ａとルーフフレーム５との間に張圧されて、この上部リンク６Ａの開閉位置をリンクピン３３の死点越えによって維持できる構成としている。
前記バックレスト１５の後側にループ状に形成されるルーフガード２９が取付けられて、このルーフガード２９の内側中央部に下部ピラー２Ｂが位置されて支持固定され、収納状態Ｃのルーフ３を位置させることができる。このルーフガード２９の後側にリヤバスケット７を取付支持、乃至着脱できる。
又、前記ルーフ３は、収納状態Ｃから水平状態Ｂに切換えるときは、上記収納操作と逆手順に操作する。
【００１５】
次に、ルーフ３を回動するために、ルーフ３をピラー２の上方へ移動させながら回動させる回動リンク４を設ける形態や、ルーフ３を回動する前にルーフフレーム５に対して後方乃至上方へ摺動させる形態等がある。このうち前者について上例と異なる点を、主として図７〜図１２に基づいて説明する。
ルーフ３の内側にはルーフフレーム５が設けられているが、このルーフフレーム５と上部ピラー２Ａとの間に、上下一対の不平行の短い上部リンク４Ａと長い下部リンク４Ｂとからなる回動リンク４が設けられて、上部ピラー２Ａに対してルーフ３が上下に回動自在に支持される。両リンク４Ａ，４Ｂの上部ピラー２Ａに対する支軸２０，２１の間隔Ｄは広くし、ルーフフレーム５に対する支軸２２，２３の間隔Ｅはこれよりも狭く設定している。このようにしてルーフ３を前方水平状態Ｂ（図７，図８，図９）と、ピラー２に沿わせた垂下状態Ａとに切換回動させることができる。
【００１６】
又、このような回動リンク４によるルーフ３の上下回動支持には、死点越えしてスプリング２４弾発するトグル機構を設けて、レバーハンドル２５の上下操作によってトグルリンク２６を回動して、ルーフ３を水平状態Ｂや垂下状態Ａに弾発させて安定させることができる。レバーハンドル２５はループ状形態で上部ピラー２Ａに対してレバー軸２７の周りに上下回動自在に設けられ、このレバー軸２７は前記上下支軸２０，２１間の間隔Ｄ部に設定されている。このレバーハンドル２５の途中位置のレバーピン２８と、前記上部リンク４Ａの支軸２２との間をトグルリンク２６で連結する。スプリング２４はこのレバーハンドル２５と支軸２２付近のルーフフレーム５部との間に設けられる。このレバーハンドル２５をスプリング２４の弾発に抗して中立位置Ｎ（図１０）から下側Ｆ（図９）へ回動すると、ルーフ３はこれら回動リンク４やトグルリンク２６等で水平状態Ｂ（図７）に支持維持される。又、このレバーハンドル２５を逆に上側Ｇ（図１１）へ回動すると、これら回動リンク４やトグルリンク２６がスプリング２４により上方へ弾発回動されて、ルーフ３は上昇されると共に垂下状態Ａへ回動される。
【００１７】
このようにレバーハンドル２５を上下に回動することにより、回動リンク４を介してルーフ３を水平状態Ｂと垂下状態Ａとに切換回動することができるが、このルーフ３の回動時には、回動リンク４を介して上昇されるため、この回動途中でバックレスト１５に干渉しない状態とすることができる。ルーフ３を垂下状態Ａとして、ロックハンドル１９のロック状態を解除して、下方へ押し下げるとピラー２が短縮されて、ルーフ３は垂下状態Ａのまま間隔部１８を下動されて収納状態Ｃ（図１２）にすることができ、ルーフ３の上端部をバックレスト１５上に高く突出させない。又、ルーフ３をこの収納状態Ｃから水平状態Ｂへ切換えるときは、上記と逆の操作を行えばよい。垂下状態Ａのルーフ３をピラー２の伸長によって上昇させてから、レバーハンドル２５の操作で前側上方の水平状態Ｂへ回動させることができる。
【００１８】
次に、主として図１３〜図１７に基づいて、上例と異なる点は、ルーフ３をルーフフレーム５に対して前後へ移動させて、開閉リンク６を開閉回動させる形態である。このルーフ３の下面に一体のスライドガイド３６を有し、このスライドガイド３６とルーフ３下面との間に左右のルーフフレーム５部を嵌合させて、ルーフ３を前後へ摺動することができる。水平状態Ｂ（図１３）のルーフ３を後方へ移動させた状態（図１４）で、支軸３０周りに前側下方へ回動させると、このルーフ３の前端は上昇位置にあるためシート１のバックレスト１５に干渉しないように回動させて、前記垂直状態Ａにすることができる。又、この状態や、ルーフ３をルーフフレーム５に対して押し下げた状態で、収納状態Ｃ（図１６）へ押込むことができる。又、水平状態Ｂで、ルーフ３をできるだけ前端へ突出（図１）させたいときは、ルーフフレーム５に対して前端へ押出すことができる。
【００１９】
次に、主として図１８〜図２０に基づいて上例と異なる点は、前記ルーフ３及びピラー２の後側に沿うブラインド８を設けたものである。ブラインド８は布製として、上端縁をボルト３７でルーフ３の後端に取付け、下端縁中央部にフック３８を設けて、このフック３８を下部ピラー２Ｂのフックピン３９に引っ掛けて、ピラー２の後側部に沿ってバックレスト１５後側部を覆うことができる。前記のようにルーフ３をルーフフレーム５に対して後方へ移動させたり、水平状態Ｂ（図１９）から垂直状態Ａや、これと反対の状態等へ切換回動するときは、このフック３８をフックピン３９から外した状態にしてレバーハンドル２５を操作し易くすることができる。又、ルーフ３を収納状態Ｃ（図２０）に移動させたときは、フック３８を前記ルーフガード２９の後下端縁４０部に係合させて、ルーフ３の収納状態Ｃの後側を被覆することができる。
【００２０】
又、図１８のようにルーフ３の後端部に、このブラインド８を巻取できるブラインドリール４１を設けることもできる。ルーフ３の後端部には、ブラインドリール４１を収容するリールケース４３を取付けて、このリールケース４３から下方へブラインド８を引き出したり、内部のブラインドリール４１に巻込むことができる。又、このブラインドリール４１には自動巻取用のトルクスプリング４２を設けて、ブラインド８をこのスプリング４２によってブラインドリール４１に巻き上げたり、このスプリング４２に抗して引き出すことができる。
【図面の簡単な説明】
【図１】電動車椅子のルーフの水平状態を示す側面図と、この一部の拡大側面図。
【図２】その背面図。
【図３】そのルーフの垂下状態を示す要部側面図。
【図４】その背面図。
【図５】そのルーフの収納状態を示す要部側面図。
【図６】その背面図。
【図７】その一部別実施例に係るもので、ルーフの水平状態を示す一部断側面図。
【図８】その背面図。
【図９】その回動リンク部の拡大側面図。
【図１０】その作動状態を示す同側面図。
【図１１】その作動状態を示す同側面図。
【図１２】そのルーフの収納状態を示す背面図。
【図１３】一部別実施例を示すもので、ルーフの水平状態を示す側面図。
【図１４】そのルーフの作動状態を示す側面図。
【図１５】そのルーフの垂下状態を示す側面図。
【図１６】そのルーフの収納状態を示す側面図。
【図１７】そのルーフ部の斜視図。
【図１８】一部別実施例を示すもので、ルーフの水平状態を示す側面図。
【図１９】一部別実施例を示すもので、ルーフの水平状態を示す背面図。
【図２０】そのルーフの収納状態を示す側面図。
【符号の説明】
１　　シート
２　　ピラー
３　　ルーフ
４　　回動リンク
５　　ルーフフレーム
６　　開閉リンク
７　　キャリー
Ａ　　垂下状態
【図１】
2004135822.tif 000003
【図２】
2004135822.tif 000004
【図３】
2004135822.tif 000005
【図４】
2004135822.tif 000006
【図５】
2004135822.tif 000007
【図６】
2004135822.tif 000008
【図７】
2004135822.tif 000009
【図８】
2004135822.tif 000010
【図９】
2004135822.tif 000011
【図１０】
2004135822.tif 000012
【図１１】
2004135822.tif 000013
【図１２】
2004135822.tif 000014
【図１３】
2004135822.tif 000015
【図１４】
2004135822.tif 000016
【図１５】
2004135822.tif 000017
【図１６】
2004135822.tif 000018
【図１７】
2004135822.tif 000019
【図１８】
2004135822.tif 000020
【図１９】
2004135822.tif 000021
【図２０】
2004135822.tif 000022